(57)【特許請求の範囲】
【請求項１】
長手方向に延びる柄部と、前記柄部の一端に取り付けられた薬液を含浸可能な塗布部とを備えた塗布部材と、前記塗布部材を収納する収納部材とを備える薬液付き塗布具であって、
前記収納部材は、前記塗布部材が収納されるボトムフィルムと、前記ボトムフィルムを閉塞して前記塗布部材及び薬液が封入された薬液収納部材を収納するトップフィルムとを備え、
前記ボトムフィルムは、少なくとも前記塗布部と緩衝材として作用する所定量の空気を収納した空気室を備えることを特徴とする薬液付き塗布具。
【請求項２】
請求項１に記載の薬液付き塗布具において、
前記ボトムフィルムは、前記空気室と連通すると共に前記柄部の他端側を収納する柄部収納室を備えることを特徴とする薬液付き塗布具。
【請求項３】
請求項１又は２に記載の薬液付き塗布具において、
前記トップフィルムは、前記薬液収納部材が取り付けられ、前記柄部収納室の近傍に接着されると共に剥離可能なポイントシール部を備えることを特徴とする薬液付き塗布具。
【請求項４】
請求項１から３のいずれか１項に記載の薬液付き塗布具において、
前記薬液収納部材は、前記トップフィルムに対して前記柄部の延設方向に沿って配置され、前記他端側を前記トップフィルムに接着すると共に、一端側に容易に開封可能な開封部を備えることを特徴とする薬液付き塗布具。
【請求項５】
請求項１から４のいずれか１項に記載の薬液付き塗付具において、
前記トップフィルムは、前記ボトムフィルムの外縁に沿って接着されると共に、前記ボトムフィルムの前記一端側で前記ボトムフィルムと容易には剥離不能に接着されることを特徴とする薬液付き塗付具。
【請求項６】
請求項１から５のいずれか１項に記載の薬液付き塗付具において、
前記トップフィルムは、前記ボトムフィルムの外縁に沿って接着されると共に、前記ボトムフィルムの前記他端側に容易に剥離する抜気部を介して接着されることを特徴とする薬液付き塗付具。
【請求項７】
請求項６に記載の薬液付き塗付具において、
前記抜気部は、略Ｖ字状に形成された弱シール部であることを特徴とする薬液付き塗布具
【発明の詳細な説明】
【技術分野】
【０００１】
本発明は、消毒液などの薬液を術野に塗布するために用いられる薬液付き塗付具に関し、具体的には、塗布部材を収納した収納部材を開封するだけで薬液を術野に塗布することができる薬液付き塗布具に関する。
【背景技術】
【０００２】
外科的処置の際に、術野に消毒液などの薬液を塗布する場合、綿棒や綿球などに薬液を含浸させて塗布することが一般的である。しかし、術野に薬液を塗布する毎に薬液を別途準備して綿棒や綿球に含浸させることは処置が煩雑であり、医師や看護師の作業負担軽減のために、予め薬液を含浸させた綿棒や綿球を容器に封入した薬液付き塗布具が知られている。
【０００３】
たとえば、特許文献１に記載された薬液付き塗布具は、塗布部材を軸部に備えた塗布棒を内封する塗布棒収納部と、塗布棒の塗布部材に隣接するよう分離帯を介して液剤を内封する液剤収納部とを備えた塗布棒包装体であって、液剤収納部の押圧により分離帯を連通して塗布部材に液剤を含浸させるよう構成した薬液付き塗布具が開示されている。
【０００４】
このような薬液付き塗布具によれば、液剤収納部を押圧することで分離帯を介して塗布部材に液剤を含浸させ、塗布棒包装体から塗布棒を取り出して使用することができるので、液剤を別途準備して分注する作業を省略することができ、処置作業の簡素化を図ることができる。また、塗布部材に液剤が常に含浸することがないので、塗布部材の劣化や液剤の成分の変化を確実に防止することができる。
【先行技術文献】
【特許文献】
【０００５】
【特許文献１】特開２００３−２９２０４１号公報
【発明の概要】
【発明が解決しようとする課題】
【０００６】
しかし、特許文献１に記載された薬液付き塗布具は、液剤収納部を押圧して分離帯を破袋することで薬液を塗布部材に含浸させているため、分離帯の強度を高くすることができず、液剤収納部に不用意に外部から外圧が掛かった場合には、容易に破袋してしまい、その取扱いに十分留意する必要があるという問題があった。また、塗布具が大型化した場合や含浸させる薬液の量が多くなった場合は、薬液を全量含浸させることが難しく、また誤って塗布棒に薬液が付着してしまうという問題もあった。
【０００７】
本発明は、上記課題を解決するために成されたものであって、不用意な外圧に対しても薬液収納部材が開封して薬液が塗布部材に含浸することなく、確実に薬液の保持をすると共に、必要な場合には容易に薬液を効率よく塗布部材に含浸することができる薬液付き塗布具を提供することを目的とする。
【課題を解決するための手段】
【０００８】
上記課題を解決する本発明に係る薬液付き塗布具は、長手方向に延びる柄部と、前記柄部の一端に取り付けられた薬液を含浸可能な塗布部とを備えた塗布部材と、前記塗布部材を収納する収納部材とを備える薬液付き塗布具であって、前記収納部材は、前記塗布部材が収納されるボトムフィルムと、前記ボトムフィルムを閉塞して前記塗布部材及び薬液が封入された薬液収納部材を収納するトップフィルムとを備え、前記ボトムフィルムは、少なくとも前記塗布部と緩衝材として作用する所定量の空気を収納した空気室を備えることを特徴とする。
【０００９】
また、本発明に係る薬液付き塗布具において、前記ボトムフィルムは、前記空気室と連通すると共に前記柄部の他端側を収納する柄部収納室を備えると好適である。
【００１０】
また、本発明に係る薬液付き塗布具において、前記トップフィルムは、前記薬液収納部材が取り付けられ、前記柄部収納室の近傍に接着されると共に剥離可能なポイントシール部を備えると好適である。
【００１１】
また、本発明に係る薬液付き塗布具において、前記薬液収納部材は、前記トップフィルムに対して前記柄部の延設方向に沿って配置され、前記他端側を前記トップフィルムに接着すると共に、一端側に容易に開封可能な開封部を備えると好適である。
【００１２】
また、本発明に係る薬液付き塗布具において、前記トップフィルムは、前記ボトムフィルムの外縁に沿って接着されると共に、前記ボトムフィルムの前記一端側で前記ボトムフィルムと容易には剥離不能に接着されると好適である。
【００１３】
さらに、本発明に係る薬液付き塗布具において、前記トップフィルムは、前記ボトムフィルムの外縁に沿って接着されると共に、前記ボトムフィルムの前記他端側に容易に剥離する抜気部を介して接着されると好適である。
【００１４】
さらにまた、本発明に係る薬液付き塗布具において、前記抜気部は、略Ｖ字状に形成された弱シール部であると好適である。
【発明の効果】
【００１５】
本発明によれば、収納部材は、塗布部材が収納されるボトムフィルムと、ボトムフィルムを閉塞して塗布部材及び薬液が封入された薬液収納部材を収納するトップフィルムとを備え、ボトムフィルムは、少なくとも塗布部と所定の空気を収納可能な空気室を備えるので、輸送中や収納時などに不用意な外圧が収納部材にかかった場合であっても、空気室に封入された空気が緩衝材として作用することで、薬液収納部材が開封して封入された薬液が漏れ出すことを防止することができる。
【００１６】
また、本発明によれば、空気室は、空気室と連通すると共に柄部の他端側を収納する柄部収納室を備えているので、柄部収納室の容積を適宜調整することで、空気室の容積を調整して空気室に収納される空気の空気圧を調整することができる。
【００１７】
また、本発明によれば、トップフィルムは、薬液収納部材が取り付けられ、柄部収納室の近傍に接着されると共に剥離可能なポイントシール部を備えているので、薬液を塗布部に含浸させる場合には、ポイントシール部を剥離することで空気室の容積を増大させて空気の緩衝作用を除去することで容易に薬液収納部材を開封して塗布部に薬液を含浸させることができる。
【００１８】
また、本発明によれば、薬液収納部材は、トップフィルムに対して柄部の延設方向に沿って配置され、他端側をトップフィルムに接着すると共に、一端側に容易に開封可能な開封部を備えるので、薬液収納部材をトップフィルムに確実に取り付けると共に、開封部が塗布部近傍に位置することで、効率的に薬液を塗布部に含浸させることができる。
【００１９】
さらに、本発明によれば、トップフィルムは、ボトムフィルムの外縁に沿って接着されると共に、ボトムフィルムの一端側でボトムフィルムと容易に剥離不能に接着されるので、薬液を含浸させる際に、薬液が収納容器の外部に漏れ出すことを防止できたり、薬液の含浸が完了した後、塗布部材を取り出す際に薬液が含浸しきれずに残った場合でも当該残留した薬液が収納容器の外部へ飛散したり、落液することを防止でき、且つ、トップフィルムをボトムフィルムから完全に分離して剥がすことなく塗布部材を取り出すことができたりする。このように、トップフィルムはボトムフィルムの一端で剥離不能に接着されているので、塗布部に含浸されずに空気室に薬液が残ったとしても当該薬液が外部に飛散や落液せずに空気室に保持することができると共に、トップフィルムはボトムフィルムから完全に分離されることがなく、収納部材の廃棄の際に廃棄作業を簡素化することができる。
【００２０】
また、本発明によれば、トップフィルムは、ボトムフィルムの外縁に沿って接着されると共に、ボトムフィルムの他端側に容易に剥離する抜気部を介して接着されるので、薬液収納部材の開封を行う前に、トップフィルムを若干剥がして抜気部を介して内部の空気を抜気することで、より空気の緩衝作用を低減することができ、確実に薬液収納部材の開封を行うことができる。
【００２１】
さらに、本発明によれば、抜気部は略Ｖ字状に形成された弱シール部であるので、容易に抜気部を形成することができる。
【図面の簡単な説明】
【００２２】
【図１】本発明の実施形態に係る薬液付き塗布具の上面図。
【図２】本発明の実施形態に係る薬液付き塗布具の下面図。
【図３】本発明の実施形態に係る薬液付き塗布具の分解図。
【図４】本発明の実施形態に係る薬液付き塗布具の使用手順を示す図。
【図５】本発明の実施形態に係る薬液付き塗布具の使用手順を示す図。
【図６】本発明の実施形態に係る薬液付き塗布具の使用手順を示す図。
【図７】本発明の実施形態に係る薬液付き塗布具の使用手順を示す図。
【図８】本発明の実施形態に係る薬液付き塗布具の使用手順を示す図。
【発明を実施するための形態】
【００２３】
以下、本発明に係る薬液付き塗布具について図面を参照しつつ説明する。なお、以下の実施の形態は、各請求項に係る発明を限定するものではなく、また、実施形態の中で説明されている特徴の組み合わせの全てが発明の解決手段に必須であるとは限らない。
【００２４】
図１は、本発明の実施形態に係る薬液付き塗布具の上面図であり、図２は、本発明の実施形態に係る薬液付き塗布具の下面図であり、図３は、本発明の実施形態に係る薬液付き塗布具の分解図であり、図４から８は、本発明の実施形態に係る薬液付き塗布具の使用手順を示す図である。なお、以下の説明において、柄部２２の延設方向について、塗布部２１が取り付けられた方向を一端側、他方を他端側として説明を行う。
【００２５】
図１及び図２に示すように、本実施形態に係る薬液付き塗付具１０は、長手方向に延びる柄部２２と柄部２２の一端に取り付けられた塗布部２１とを備えた塗布部材２０と、この塗布部材２０を収納する収納部材３０を備えている。
【００２６】
柄部２２は、例えば合成樹脂などで形成された棒状の部材であり、塗布部２１は、薬液を含浸可能な例えばスポンジや綿などの素材で形成されている。また、薬液を含浸して保持するために、例えば塗布部２１は、吸液力と保液力が優れた部材が好ましい。材料としては、ポリウレタンやセルロースなどが好適に用いられる。
【００２７】
図３に示すように、収納部材３０は、塗布部材２０が収納されるボトムフィルム３１と、ボトムフィルム３１を閉塞するトップフィルム３２とを備えている。また、トップフィルム３２には、薬液４３が封入された薬液収納部材４０が接着されている。このように薬液収納部材４０がトップフィルム３２に接着されているので、薬液収納部４０の開封部４１を例えば塗布部２１の近傍など所望の位置に配置することができる。また、トップフィルム３２をボトムフィルム３１から剥離した際に、トップフィルム３２と共に薬液収納部材４０がボトムフィルム３１から離間するため、ボトムフィルム３１に収納された塗布部材２０を取り出す際に邪魔になることがない。更にトップフィルム３２と薬液収納部材４０とを接着する位置を他端側とすることで、トップフィルム３２をボトムフィルム３１から剥離する際にトップフィルム３２と薬液収納部材４０とが他端側から一体となってボトムフィルム３１から離間することができる。そのため、トップフィルム３２とボトムフィルム３１とは離間しても薬液収納部材４０とボトムフィルム３１とは離間していないということが生じず、塗布部材２０を取り出す際に薬液収納部材４０が邪魔になることがない。
【００２８】
ボトムフィルム３１は、平坦なシート部３５と、該シート部３５に凹状に形成された空気室３３及び柄部収納室３４とを備えている。空気室３３は、少なくとも塗布部２１及び所定量の空気が収納できる大きさに形成されている。このように、空気室３３に所定量の空気が封入されているので、輸送中や収納時等に不用意に薬液付き塗布具１０の外圧が加わった場合であっても、空気の緩衝効果によって、薬液収納部材４０が開封することを防止することができる。
【００２９】
また、柄部収納室３４は、柄部２２の他端側を収納するように空気室３３と連通するように形成されている。なお、柄部収納室３４の幅は、空気室３３の幅に比べて小さく形成されており、具体的には空気室３３の幅の概略３０％程度の幅となるように形成されている。
【００３０】
トップフィルム３２は、シート状の部材であり、図１及び図３に示すように、塗布部材２０と対向する面に柄部２２の延設方向に沿って薬液収納部材４０が接着されている。薬液収納部材４０は、トップフィルム３２に対して、他端側に薬液収納部材シール部４２を介して接着されている。このように、薬液収納部材４０はトップフィルム３２に対して他端側に接着されているので、トップフィルム３２を他端側から剥離した際に、薬液収納部材４０がトップフィルム３２と一体となってボトムフィルム３１から離間される。また、薬液収納部材４０の一端側には、Ｖ字状に弱シールされた開封部４１が形成され、所定の外圧を加えることで容易に開封して封入された薬液４３が空気室３３へ移動することができるように形成されている。また、開封部４１は、塗布部２１に近接して配置されているので、開封部４１が開封して薬液収納部材４０の内部から出てきた薬液４３が塗布部２１に効果的に含浸できる。なお、トップフィルム３２を剥離して開封する前、もしくは薬液付き塗布具１０の内部と外部とが連通する程度までトップフィルム３２をわずかに剥離した後に所定の外圧を薬液収納部材４０に加えることで、内部に封入された薬液４３は、他の部位に漏れ出すことなく空気室３３に移動させることができる。
【００３１】
また、トップフィルム３２は、ボトムフィルム３１のシート部３５の柄部収納室３４の近傍に点接着されたポイントシール部５１を備えている。ポイントシール部５１は、所定の外圧によって剥離可能なシール部であり、ポイントシール部５１が剥離することで、後述するようにシート部３５とトップフィルム３２の間の容積を拡大して空気室３３に封入された空気の緩衝効果を低減させることができる。また、トップフィルム３２のシート部３５と対向する箇所は、ポイントシール部５１のみで接着されており、その余の箇所は接着されていない。このように上述した余の箇所を接着しないことで、空気室３３内の空気がトップフィルム３２のシート部３５と対向する間に流れ込むスペースがわずかに生じるため、輸送中や収納時等に不用意な外圧に対し、より空気の緩衝効果を高められる。更に、仮に輸送中や収納時等に強い不用意な外圧があっても、ポイントシール部５１が剥離することで、薬液収納部材４０への衝撃を軽減することができる。
【００３２】
また、空気の緩衝効果をより発揮させることができる空気室３３への空気の注入量は、最大の注入量を１００とすると、好ましくは４０〜９０であり、より好ましくは５０〜８０である。なお、当該容積は、空気室３３の各辺の長さを例えば、深さ方向と幅方向の長さは塗布部２１が余裕をもって入る程度（塗布部２１のそれぞれの辺の１１０％〜１４０％の長さ）であり、長さ方向（柄部２２の延伸方向）の長さは柄部２２の長さの略半分の長さとした場合を１００と定義する。
【００３３】
もしくは、空気室３３の深さを前述した空気注入量となるように浅く形成することで輸送中などに必要な空気の緩衝効果を維持しつつも、薬液収納部材４０の開封の際に空気の緩衝効果を低減させることができる。具体的には、一端側と他端側に空気室３３、もしくは空気室３３と柄部収納室３４を形成させて所定量の空気を封入させ、輸送中や収納時などに不用意に薬液付き塗布具１０の外圧が加わった場合であっても、空気の緩衝効果によって、薬液収納部材４０が開封することを防止すると共に、薬液収納部材４０を開封する場合には、薬液収納部材４０部分を握るなどして直接的に薬液収納部材４０に外圧を加えることが容易にでき、薬液収納部材４０を開封させることができる。また、空気の緩衝効果を低減させる空気室を浅く形成する仕様は、ポイントシール部５１を形成することと組み合わせても良い。
【００３４】
また、トップフィルム３２は、ボトムフィルム３１の外縁に沿って外周シール部５２が形成されて互いに接着されており、外周シール５２の一端側は、トップフィルム３２とボトムフィルム３１とが容易に剥離しないように強シール部５３が形成されている。強シール部５３は例えばシール長さを１〜３ｃｍに設定すると好適である。なお、外周シール５２は、トップフィルム３２とボトムフィルム３１とが剥離可能なように１〜１０ｍｍ程度の幅で接着、もしくは１〜２ｍｍ程度の幅を複数で接着されると好適である。
【００３５】
さらにまた、外周シール部５２の他端側には、Ｖ字形状の抜気部５４が形成されていても良い。この抜気部５４によって、後述するように空気室３３を押してポイントシール部５１を剥離した際に抜気部５４がほぼ同時にもしくはこれと前後して破れ、該抜気部５４から空気室３３に封入された空気を逃がして後述する緩衝効果を低減させることが可能となる。
【００３６】
なお、ボトムフィルム３１，トップフィルム３２及び薬液収納部材４０は、如何なる素材を用いて形成しても構わないが、例えば、合成樹脂からなるフィルムやシートで構成すると好適である。具体的には、ポリスチレン，ポリエチレン，ポリプロピレン，ポリエチレンテレフタレートなどが好ましく適用可能である。さらに、ポイントシール部５１，外周シール部５２，強シール部５３，抜気部５４，開封部４１及び薬液収納部材シール部４２等の接着部位は、熱溶着によって互いの部材を接着している。
【００３７】
次に、本実施形態に係る薬液付き塗布具１０の使用方法について図４から８を参照して説明を行う。
【００３８】
図４に示すように、空気室３３を外部から把持し空気室内の空気圧によってポイントシール部５１が剥離する程度に外圧を加える。ポイントシール部５１が剥離すると、ボトムフィルム３１とトップフィルム３２の間の空間が増大するため、空気室３３に封入された空気の内圧が下がり、空気の緩衝効果が低減する。
【００３９】
このように、空気室３３に封入された空気の緩衝効果が低減した状態で外圧を加えると、図５に示すように、薬液収納部材４０に直接外圧が加わることとなり、開封部４１が開封して薬液４３が空気室３３に漏れ出す。
【００４０】
なお、空気の緩衝効果を低減させる構造は、この他に、空気室３３の容積を減じた空気室を設けておき、薬液収納部材４０の部分の空気の緩衝効果を低減させておいても良いし、またはその両方により空気の緩衝効果が低減するように構成しても良い。さらにまた、後述するように、抜気部５４を介して薬液付き塗布具１０の内部と外部とが連通する場合には、薬液付き塗布具１０に封入された空気が抜気部５４を介して外部に漏れ出すことで、更に緩衝効果が低減させても良い。
【００４１】
なお、図６に示すように、より確実に薬液収納部材４０の開封を行う場合には、ボトムフィルム３１とトップフィルム３２の他端側を薬液付き塗布具１０の内部と外部とが連通する程度まで剥離すると、より容易に薬液収納部材４０を開封させることが可能となれる。
【００４２】
さらに、薬液４３は、空気室３３に保持されていれば塗布部２１に徐々に含浸されていくが、薬液４３の塗布部２１への含浸を促進させて素早く作業を行いたい場合には、図７に示すように、薬液４３が十分に塗布部２１に含浸するように塗布部２１を押し付けたのち離す。この押し付け作業によってより効果的に薬液４３をほぼ全量塗布部２１に含浸させることが可能となる。
【００４３】
最後に図８に示すように、薬液４３を十分に塗布部２１に含浸したのち、トップフィルム３２とボトムフィルム３１をさらに剥離して塗布部材２０を取り出して使用する。このとき、トップフィルム３２とボトムフィルム３１は、一端側に強シール部５３が形成されているので、トップフィルム３２とボトムフィルム３１は強シール部５３を介して一体となっている。このように、トップフィルム３２がボトムフィルム３１から完全に剥離しないので、収納部材２０の廃棄が容易になる他、塗布部２１に含浸されずに空気室３３に残ってしまった薬液４３が外部に飛散せずに空気室３３に保持することができる。
【００４４】
なお、上述した本実施形態に係る薬液付き塗布具は、トップフィルムとボトムフィルムとを熱溶着によって接着した場合について説明を行ったが、接着の方法はこれに限らず、接着剤を用いて互いに接着しても構わないし、トップフィルムとボトムフィルムとが互いに所定の接着強度で接着することができれば種々の接着方法が適用可能である。また、薬液収納部材４０は袋状で、その開封部は略Ｖ字状の弱シールについて説明を行ったが、樹脂製のボトルを弱シールで封した容器であっても構わない。その様な変更又は改良を加えた形態も本発明の技術的範囲に含まれ得ることが、特許請求の範囲の記載から明らかである。
【符号の説明】
【００４５】
１０  薬液付き塗布具，
２０  塗布部材，
２１  塗布部，
２２  柄部，
３０  収納部材，
３１  ボトムフィルム，
３２  トップフィルム,
３３  空気室，
３４  柄部収納室，
３５  シート部，
４０  薬液収納部材，
４１  開封部，
４２  薬液収納部材シール部，
４３  薬液，
５１  ポイントシール部,
５２  外周シール部，
５３  強シール部，
５４  抜気部。
【図１】
0006600181.tif 000002
【図２】
0006600181.tif 000003
【図３】
0006600181.tif 000004
【図４】
0006600181.tif 000005
【図５】
0006600181.tif 000006
【図６】
0006600181.tif 000007
【図７】
0006600181.tif 000008
【図８】
0006600181.tif 000009